(57)【特許請求の範囲】
【請求項１】
記録媒体が装着される装着部と、
前記装着部を覆う閉位置または前記装着部を露出する開位置へ移動可能に設けられたカバーと、
該カバーを閉位置で係止する係止部材と、
イジェクト用制御信号の供給により駆動される駆動手段と、
前記係止部材と一体に形成され、前記駆動手段からの駆動力により前記係止部材を係止解除位置へ移動させる移動部材と、
前記駆動手段と係合する係合部と前記移動部材に当接する当接部とを有し、前記駆動手段からの駆動力が伝達される伝達部材と、
該伝達部材を前記駆動手段に駆動される駆動位置と前記駆動手段から離間した駆動解除位置との間で変位可能に支持する支持ユニットと、
手動操作により前記支持ユニットを前記伝達部材の駆動解除位置へ移動させる過程で前記伝達部材の当接部を前記移動部材に当接させて前記係止部材を係止解除位置へ移動させる手動操作部と、
を備えてなることを特徴とする記録媒体装着装置。
【請求項２】
請求項１に記載の記録媒体装着装置であって、
前記伝達部材は、
前記駆動手段に設けられるギヤと噛合するギヤ部と、
該ギヤ部に形成される軸受部と、
該軸受部の半径方向に形成されるカム部と、を有し、
前記駆動手段からの駆動力を前記移動部材に伝達するときは、前記ギヤ部の回動に伴い前記カム部が前記移動部材に当接して押圧することにより前記係止部材を係止解除位置へ移動させ、
前記手動操作部によって前記支持ユニットを前記伝達部材の駆動解除位置へ移動させるときは、前記支持ユニットの移動に伴い前記軸受部を前記移動部材に当接させて前記係止部材を係止解除位置へ移動させることを特徴とする記録媒体装着装置。
【発明の詳細な説明】
【０００１】
【発明の属する技術分野】
本発明は記録媒体装着装置に係り、特に開閉式のカバーを開いてディスク状記録媒体を取り出すよう構成された記録媒体装着装置に関する。
【０００２】
【従来の技術】
従来の記録媒体装着装置としては、例えばノート型のパーソナルコンピュータ等の電子装置に接続されるＣＤ−Ｒ／ＲＷ装置がある。ノート型のパーソナルコンピュータでは、ＣＤ−Ｒ／ＲＷ装置をパーソナルコンピュータと別体とすることにより、薄型化及び軽量化が促進されている。
【０００３】
この種のＣＤ−Ｒ／ＲＷ装置では、ケーブル、コネクタを介してノート型のパーソナルコンピュータに接続され、装着されたコンパクト・ディスク（以下、単に「ディスク」と称す）に記憶された情報を光学ピックアップにより読み取ると共に、読み取った情報をパーソナルコンピュータへ転送する。
【０００４】
このように、パーソナルコンピュータの操作中にディスクの取り出し操作またはディスクの装着操作を行う場合、記録媒体装着装置の側面等に配設された操作ノブを探す必要がある。そのため、従来のものは、パーソナルコンピュータのディスプレイから目を離して記録媒体装着装置を操作することになるので、パーソナルコンピュータの操作を中断しなければならず、煩わしかった。
【０００５】
そこで、操作者がパーソナルコンピュータのキーボードを操作することで、パーソナルコンピュータからカバー開信号がＣＤ−Ｒ／ＲＷ装置に出力され、自動的にＣＤ−Ｒ／ＲＷ装置のカバーを開くことができるよう構成されたイジェクト機構が開発されている。
【０００６】
この種のイジェクト機構としては、例えば、本出願人が先に提案した特開２００１−１２６４６０公報に開示されたものがある。この公報に記載されたＣＤ−Ｒ／ＲＷ装置では、ディスクが収納されるトレイと、トレイの上面に設けられたディスク装着部と、ディスク装着部を開閉するカバーとからなる記録媒体装着装置を有する。トレイの内部には、イジェクト機構と、係止解除駆動部とが設けられている。この係止解除駆動部は、イジェクト用モータと、モータの駆動力を係止部材に伝達する駆動力伝達機構とからなる。イジェクト機構は、係止部材を手動操作によりカバーの係止解除位置へ移動させる手動イジェクト機構と、パーソナルコンピュータ等からの制御信号によりモータが駆動されて係止部材をカバーの係止解除位置へ駆動する電動イジェクト機構とを組み合わせた構成になっている。
【０００７】
従って、通常は、パーソナルコンピュータ等からの制御信号により電動イジェクト機構がカバーの係止解除を行い、停電または電気系統の故障などの緊急時には、手動イジェクト機構を操作してカバーの係止解除を行っている。
【発明が解決しようとする課題】
しかしながら、上記公報に記載された従来の記録媒体装着装置では、複数のギヤやレバーが組み合わさった構成であるので、部品点数が多く、構成が複雑化しており、その分製造コストが増大するという問題があった。
【０００８】
さらに、上記従来の記録媒体装着装置では、イジェクト機構の設置スペースが広くなり、装置の小型化に対応できず、且つイジェクト動作の信頼性を高めるのに各部品の加工精度を高めなければならない。
【０００９】
そこで、本発明は上記課題を解決した記録媒体装着装置を提供することを目的とする。
【００１０】
【課題を解決するための手段】
上記課題を解決するため、本発明は以下のような特徴を有する。
上記請求項１記載の発明は、記録媒体が装着される装着部と、前記装着部を覆う閉位置または前記装着部を露出する開位置へ移動可能に設けられたカバーと、該カバーを閉位置で係止する係止部材と、イジェクト用制御信号の供給により駆動される駆動手段と、前記係止部材と一体に形成され、前記駆動手段からの駆動力により前記係止部材を係止解除位置へ移動させる移動部材と、前記駆動手段と係合する係合部と前記移動部材に当接する当接部とを有し、前記駆動手段からの駆動力が伝達される伝達部材と、該伝達部材を前記駆動手段に駆動される駆動位置と前記駆動手段から離間した駆動解除位置との間で変位可能に支持する支持ユニットと、手動操作により前記支持ユニットを前記伝達部材の駆動解除位置へ移動させる過程で前記伝達部材の当接部を前記移動部材に当接させて前記係止部材を係止解除位置へ移動させる手動操作部と、を備えており、従来のものよりも部品点数を削減して製造コストを安価に抑えると共に、省スペース化を図ることが可能になる。
また、請求項２記載の発明は、請求項１に記載の記録媒体装着装置であって、前記伝達部材は、前記駆動手段に設けられるギヤと噛合するギヤ部と、該ギヤ部に形成される軸受部と、該軸受部の半径方向に形成されるカム部と、を有し、前記駆動手段からの駆動力を前記移動部材に伝達するときは、前記ギヤ部の回動に伴い前記カム部が前記移動部材に当接して押圧することにより前記係止部材を係止解除位置へ移動させ、前記手動操作部によって前記支持ユニットを前記伝達部材の駆動解除位置へ移動させるときは、前記支持ユニットの移動に伴い前記軸受部を前記移動部材に当接させて前記係止部材を係止解除位置へ移動させることを特徴とするものである。
【００１１】
図１及び図２に示されるように、ＣＤ−Ｒ／ＲＷ装置１０は、ノート型パーソナルコンピュータ（図示せず）に接続ケーブルを介して接続されるポータブル型の装置である。このＣＤ−Ｒ／ＲＷ装置１０は、記録媒体としてのディスク（図示せず）が収納されるトレイ１１と、トレイ１１の上面に設けられたディスク装着部１２と、ディスク装着部１２を開閉するカバー１４とからなる記録媒体装着装置を有する。
【００１２】
ディスク装着部１２は、装着されたディスクを回転駆動するターンテーブル１６を有する。尚、図１及び図２において、ターンテーブル１６の下部には、ターンテーブル１６を回転駆動するスピンドルモータが設けられているが、ターンテーブル１６に隠れて見えない。
【００１３】
また、トレイ１１には、ターンテーブル１６に装着されたディスクに記録された情報を読み取る光ピックアップ１８が設けられている。この光ピックアップ１８は、トレイ１１の内部に設けられたピックアップ駆動機構（図示せず）によりディスク半径方向に形成された開口１９に沿って移動すると共に、対物レンズ１８ａからレーザ光をディスクの記録面に照射して反射光から情報を読み取る。
【００１４】
また、トレイ１１には、カバー１４の開動作によりディスクを制動するディスク制動機構１７が設けられている。このディスク制動機構１７は、カバー１４を開いたときにディスクの回転を制動する制動部材２０と、カバー１４が閉蓋しているときに制動部材２０を制動解除位置（ディスクの外周から離間する位置）へ移動させる制動解除部材４５とを有する。従って、制動部材２０は、カバー１４が閉じているときは、カバー１４の下面に設けられた制動解除部材４５に押圧されてディスク装着部１２の外側に移動しており、ターンテーブル１６に装着されたディスクから離間している。
【００１５】
カバー１４は、トレイ１１の後部に設けられた３箇所の軸受部５２により開閉方向に回動可能に支持されると共に、カバー開機構５４により開方向に附勢されている。カバー開機構５４は、後述するように、カバー１４を開方向に附勢するトーションバネ５６と、トーションバネ５６に支持されたローラ５８と、カバー１４に設けられローラ５８に当接するカム部６０とからなる。
【００１６】
また、カバー１４の下面には、係止部材２４に係止される被係止部４２と、トレイ１１内に取り付けられたマイクロスイッチ（図示せず）に当接してカバー１４が閉位置に移動したことを検出するための検出ピン４４と、制動解除部材４５とが突出している。
【００１７】
トレイ１１には、カバー１４の閉蓋時に検出ピン４４が挿入される挿入孔４８が開口している。この挿入孔４８の下方には、検出ピン４４が挿入される位置に閉蓋検出スイッチ４９（図３中、破線で示す）が設けられている。この閉蓋検出スイッチ４９は、カバー１４が閉蓋位置で係止部材２４に係止された状態のときに検出ピン４４に押圧されてオンに切り替わり、係止部材２４が係止解除位置へ移動してカバー１４が開動作する際に検出ピン４４が離間してオフに切り替わる。
【００１８】
図３はイジェクト機構２１の取付位置を示すＣＤ−Ｒ／ＲＷ装置１０の平面図である。
図３に示されるように、ＣＤ−Ｒ／ＲＷ装置１０は、手動操作によりカバー１４の係止を解除する手動イジェクト機構とパーソナルコンピュータ等からの制御信号によりモータを駆動させてカバー１４の係止を解除する電動イジェクト機構とを組み合わせたイジェクト機構２１を有する。
【００１９】
このイジェクト機構２１は、トレイ１１の前端上面に形成された凹部１１ｂには、カバー１４の被係止部４２を係止する係止部材２４が設けられている。この係止部材２４は、トレイ１１の左右方向（Ｃ，Ｄ方向）にスライド可能に設けられている。そして、係止部材２４は、Ｄ方向にスライドすることで被係止部４２から離間してカバー１４の係止を解除する。
【００２０】
図４はカバー１４を閉蓋位置に係止した状態を示す縦断面図である。
図４に示されるように、カバー１４の下面には、閉蓋時に係止部材２４に係止される被係止部４２が設けられている。この被係止部４２は、閉蓋時にトレイ１１の凹部１１ｂに進入するようにカバー１４の下面より突出している。
【００２１】
また、係止部材２４及び被係止部４２は、互いに係止する爪部２４ａ，４２ａを有し、カバー１４を閉じる際に傾斜部２４ｂ，４２ｂが当接することで係止部材２４がＤ方向にスライドし、カバー１４が閉位置に至ると、係止部材２４がＣ方向に復帰して爪部２４ａ，４２ａが互いに引っ掛かって被係止部４２を係止する。
【００２２】
図５はＣＤ−Ｒ／ＲＷ装置１０の底面図である。
図５に示されるように、トレイ１１の底部には、円弧状のガイド孔１１ｂが設けられている。このガイド孔１１ｂには、イジェクト機構２１の手動操作部材として機能する操作ピン２２が摺動可能に嵌合している。尚、操作ピン２２は、図４に示されるように、ガイド孔１１ｂより下方に突出していない。これにより、ＣＤ−Ｒ／ＲＷ装置１０では、記録再生動作中に不用意にイジェクト手動操作が行われることが防止される。
【００２３】
そのため、停電時または電気系統の故障などのときにイジェクト機構２１を手動操作する場合は、ガイド孔１１ｂに先細形状あるいは針金状のもの（例えば、クリップなど）を挿入して操作ピン２２をガイド孔１１ｂに沿って回動させることで係止部材２４を係止解除方向（Ｄ方向）へ移動させることができる。
【００２４】
図６はイジェクト機構２１の構成を拡大して示す図であり、（Ａ）は平面図、（Ｂ）は正面図である。
図６（Ａ）（Ｂ）及び図４に示されるように、イジェクト機構２１は、トレイ１１の底板に固定される取付ベース２６と、取付ベース２６に取り付けられたイジェクトモータ２８と、イジェクトモータ２８に駆動されるウォーム３０と、ウォーム３０に噛合するカムギヤ（伝達部材）３２を支持する支持アーム（支持ユニット）３４と、支持アーム３４を反時計方向に付勢するコイルバネ３６と、カムギヤ３２により駆動されるスライド部材（移動部材）３８と、スライド部材３８の移動位置を検出する位置検出スイッチ３９とから構成されている。
【００２５】
イジェクトモータ２８は、後述するようにＣＤ−Ｒ／ＲＷ装置１０に搭載された制御回路によって制御されており、ＣＤ−Ｒ／ＲＷ装置１０がケーブルを介して接続されたパーソナルコンピュータ（図示せず）からのカバー開信号の入来により回転駆動され、位置検出スイッチ３９がオン信号からオフ信号に切り替わったことに応じて回転を停止する。
【００２６】
位置検出スイッチ３９は、係止部材２４を有するスライド部材３８が係止解除位置に移動したときにオンに切り替わり、係止部材２４及びスライド部材３８が係止位置に復帰したときにオフに切り替わる。
【００２７】
また、スライド部材３８は、係止部材２４が一体に形成されており、コイルバネ４６によりＣ方向に付勢されている。従って、スライド部材３８は、コイルバネ４６のばね力により被係止部４２を係止する係止位置に保持されている。
【００２８】
そのため、カバー１４が閉じられると、被係止部４２に押圧された係止部材２４がＤ方向に移動するが、コイルバネ４６のばね力により係止位置に復帰して被係止部４２を係止する（図４参照）。
【００２９】
イジェクト機構２１は、カムギヤ３２を支持する支持アーム３４を回動させることでスライド部材３８を直接イジェクト動作させることができるので、従来のものよりも部品点数を削減して製造コストを安価に抑えると共に、省スペース化を図ることができる。
【００３０】
図７は取付ベース２６の構成を示す図であり、（Ａ）は正面図、（Ｂ）は底面図、（Ｃ）は右側面図である。
図７（Ａ）〜（Ｃ）に示されるように、取付ベース２６は、ベース２６ａに軸孔２６ｂ及び貫通孔２６ｃと、取付孔２６ｄとが設けられている。軸孔２６ｂは、支持アーム３４の軸５０を軸承する孔であり、貫通孔２６ｃは、操作ピン２２を貫通させるための孔であり、円弧状に形成されている。
【００３１】
取付孔２６ｄは、取付ベース２６をトレイ１１の底部に固定するための孔である。また、取付ベース２６は、検出スイッチ３９が取り付けられるスイッチ取付面２６ｅと、スライド部材３８の移動方向をガイドするガイド孔２６ｆと、コイルバネ４６の一端が当接するばね受け２６ｇと、イジェクトモータ２８が取り付けられるモータ取付部２６ｈとを有する。
【００３２】
図８はスライド部材３８の構成を示す図であり、（Ａ）は正面図、（Ｂ）は底面図、（Ｃ）は左側面図である。
図８（Ａ）〜（Ｃ）に示されるように、スライド部材３８は、取付ベース２６上を摺動する摺動部３８ａと、コイルバネ４６が挿入される円筒部３８ｂと、摺動部３８ａの側方に延在する延在部３８ｃと、延在部３８ｃの先端に形成されたカム当接部３８ｄと、鉤型に形成された段部３８ｅと、Ｄ方向への移動により位置検出スイッチ３９（図６参照）の可動切片３９ａに当接する当接部３８ｆと、を有する。また、摺動部３８ａの上面には、係止部材２４が一体形成されており、垂直方向に起立している。
【００３３】
図９は支持アーム３４の構成を示す図であり、（Ａ）は正面図、（Ｂ）は底面図、（Ｃ）は左側面図である。
図９（Ａ）〜（Ｃ）に示されるように、支持アーム３４は、軸５０が挿通される軸孔３４ａと、カムギヤ３２の軸５２が挿通される軸孔３４ｂと、コイルバネ３６の一端が掛止されるばね掛止孔３４ｃを有する。また、支持アーム３４の下面には、操作ピン２２が固着されている。
【００３４】
図１０はカムギヤ３２の構成を示す図であり、（Ａ）は正面半断面図、（Ｂ）は底面図である。
図１０（Ａ）及び図１０（Ｂ）に示されるように、カムギヤ３２は、外周にウォーム３０と噛合する歯が形成されたウォームギヤ部３２ａと、ウォームギヤ部３２ａの下面より突出する円筒状の軸受部３２ｂと、軸受部３２ｂの外周より半径方向に突出するカム部３２ｃとを有する。カム部３２ｃは、軸受部３２ｂの外周より半径方向に突出しており、カムギヤ３２の回動によりスライド部材３８のカム当接部３８ｄに当接することでスライド部材３８及び係止部材２４を掛止解除方向に移動させる。
【００３５】
また、円筒状に突出する軸受部３２ｂは、カムギヤ３２の回動によりカム部３２ｃがスライド部材３８のカム当接部３８ｄから離間すると、スライド部材３８がコイルバネ４６のばね力によりＣ方向に復帰するため、スライド部材３８の段部３８ｅに当接する。
【００３６】
また、カムギヤ３２は、支持アーム３４の軸孔３４ｂに嵌合支持された軸５２により回転自在に支持されるため、操作ピン２２が操作されて支持アーム３４が回動操作された場合、円筒状の軸受部３２ｂが段部３８ｅに当接してスライド部材３８及び係止部材２４を掛止解除方向に移動させられる。
【００３７】
ここで、カバー１４を開蓋動作させるカバー開機構５４について説明する。
図１１はカバー開機構５４を拡大して示す斜視図である。また、図１２はカバー開機構５４を拡大して示す側断面図である。尚、図１１はカバー１４が全開位置に回動したときの状態を示しており、図１２はカバー１４が閉位置に係止された状態を示している。
【００３８】
図１１及び図１２に示されるように、カバー開機構５４は、カバー１４を開方向に附勢するトーションバネ５６と、トーションバネ５６に支持されたローラ５８と、カバー１４に設けられローラ５８に当接するカム部６０とからなる。また、カバー１４の軸受部５２とトレイ１１の軸受部８８との間には、軸９０が挿通されており、この軸９０を中心に上下方向に回動して開閉する。
【００３９】
トーションバネ５６は、コイル部５６ａと、コイル部５６ａの一側から接線方向に延在してトレイ１１に掛止される掛止部５６ｂと、コイル部５６ａの他側から接線方向に延在し先端部分がＵ字状に折曲されたローラ支持部５６ｃとを有する。トーションバネ５６のローラ支持部５６ｃは、ローラ５８が回転自在に支持されている。
【００４０】
ローラ５８は、カム部６０に当接する円筒状の回転部５８ａと、回転部５８ａの両側に設けられた回転部５８ａより大径な鍔部５８ｂ，５８ｃとからなる。また、ローラ５８は、一対の鍔部５８ｂ，５８ｃの間隔がカム部６０の幅よりも若干広い寸法に形成されており、鍔部５８ｂ，５８ｃがカム部６０の側面に当接して回転部５８ａがカム部６０から外れないようにしている。
【００４１】
カム部６０は、カバー１４が閉位置で係止されたときローラ５８が当接する第１のカム面６０ａと、カバー１４を半開位置で掛止する段部６０ｂと、カバー１４を全開位置に押圧する際に当接する第２のカム面６０ｃとを有する。
【００４２】
次に上記カバー開機構５４の動作について説明する。
【００４３】
図１３はカバー１４の開動作の第１段階を示す側面図である。また、図１４はカバー１４の開動作の第２段階を示す側面図である。
【００４４】
前述したように、手動操作または電動によりスライド部材３８がカバー１４の係止解除方向（Ｄ方向）に移動すると、係止部材２４がカバー１４に設けられた被係止部４２から離間してカバー１４の係止を解除する。
【００４５】
これにより、カバー１４は、トーションバネ５６のバネ力により開方向に附勢されているので、係止部材２４の係止解除動作と共に上方に回動する。カバー１４が閉位置に係止されているときは、図１２に示されるように、トーションバネ５６に設けられたローラ５８がカム部６０の第１のカム面６０ａに当接している。トーションバネ５６のバネ力がローラ５８を介してカム部６０の第１のカム面６０ａに作用している。
【００４６】
そして、係止部材２４による係合部２４ｂの係止が解除されると共に、カバー１４は上方に回動しはじめる。このカバー１４の開方向への回動に伴って、ローラ５８は、図１３に示されるように、カム部６０の第１のカム面６０ａを転動して段部６０ｂに当接する。
【００４７】
この段階では、カム部６０の段部６０ｂがローラ５８に当接することによりカバー１４の開動作が制限される。すなわち、ローラ５８を支持するトーションバネ５６の回転半径とカム部６０の段部６０ｂの回動半径とが交差しているので、カム部６０の段部６０ｂは、ローラ５８によって開方向への回動が阻止される。従って、カバー１４は、上記のように係止部材２４のイジェクト動作が行われてもローラ５８がカム部６０の段部６０ｂに当接する半開位置で停止する。
【００４８】
このように、カバー１４が半開位置で停止するため、トレイ１１内のディスク装着部１２に装着されたディスクが惰性で回転している状態でカバー１４が全開になることが防止される。
【００４９】
そして、操作者は、図１４に示されるように、半開状態のカバー１４を手動で開方向に回動させてカバー１４を全開させる。カバー１４が所定角度で傾斜した全開位置に回動すると、カバー１４の後部に設けられた突部１４ａがトレイ１１の後部に設けられた当接部１１ａに当接してカバー１４を全開位置に保持すると共に、カバー１４の開方向への回動が規制される。尚、ターンテーブル１６を回転するモータは、イジェクト操作により回転を停止させるが、実際には惰性によりおよそ１〜３秒間かかって停止する。従って、カバー１４は、ターンテーブル１６が停止した後、全開させられる。
【００５０】
ここで、イジェクト機構２１の動作について▲１▼電動イジェクト動作、▲２▼手動イジェクト動作の順に説明する。
【００５１】
図１５は電動イジェクト動作によるカバー１４の係止解除動作を説明するための図であり、（Ａ）は平面図、（Ｂ）は正面図である。
図１５（Ａ）（Ｂ）に示されるように、イジェクト機構２１は、パーソナルコンピュータ（図示せず）からイジェクトを指示する制御信号が入力されると、イジェクトモータ２８を回転駆動する。イジェクトモータ２８の回転駆動力は、ウォーム３０を介してカムギヤ３２に伝達される。
【００５２】
カムギヤ３２は、軸受部３２ｂの外周より半径方向に突出するカム部３２ｃを有するため、反時計方向へ回動することによりカム部３２ｃがスライド部材３８のカム当接部３８ｄに当接する。これにより、スライド部材３８は、カムギヤ３２のカム部３２ｃに押圧されてＤ方向へ移動する。
【００５３】
スライド部材３８と一体に設けられた係止部材２４は、カバー１４の被係止部４２から離間してカバー１４の係止を解除する。そのため、カバー１４は、前述したカバー開機構５４のトーションバネ５６のバネ力により開蓋動作してトレイ１１のディスク装着部１２を開放する。
【００５４】
また、スライド部材３８が係止解除位置に至ると、当接部３８ｆが位置検出スイッチ３９の可動切片３９ａに当接し、位置検出スイッチ３９をオンに切り替える。
【００５５】
図１６は電動イジェクト動作によるカバー１４の係止解除後の動作を説明するための図であり、（Ａ）は平面図、（Ｂ）は正面図である。
図１６（Ａ）（Ｂ）に示されるように、イジェクト機構２１は、カムギヤ３２が反時計方向に回動してカバー１４の係止を解除した後、カムギヤ３２の回動によりカム部３２ｃがスライド部材３８のカム当接部３８ｄから離間する。そのため、スライド部材３８は、カム部３２ｃによる押圧力が作用しなくなるので、コイルバネ４６のばね力によりＣ方向に移動する。
【００５６】
そして、スライド部材３８の段部３８ｅは、カムギヤ３２の下面から円筒状に突出する軸受部３２ｂに当接してイジェクト動作前の位置に復帰する。また、スライド部材３８の当接部３８ｆが位置検出スイッチ３９の可動切片３９ａから離間して、位置検出スイッチ３９をオフに切り替える。これで、制御回路は、カバー１４の電動イジェクト動作が完了したものと判断してイジェクトモータ２８の回転を停止させる。
【００５７】
図１７は手動イジェクト動作によるカバー１４の係止解除動作を説明するための図であり、（Ａ）は平面図、（Ｂ）は正面図である。
図１７（Ａ）（Ｂ）に示されるように、イジェクト機構２１は、停電または電気系統の故障などによりイジェクトモータ２８が回転駆動できない場合、カバー開信号が制御回路に供給されても電動イジェクト動作によりカバー１４の係止を解除できない。
【００５８】
このような場合、操作者は、手動操作でカバー１４の係止を解除する。すなわち、操作者は、トレイ１１の下面に設けられたガイド孔１１ｂに先細形状あるいは針金状のもの（例えば、クリップなど）を挿入して操作ピン２２をガイド孔１１ｂ（図５参照）に沿ってＥ方向へ回動させる。
【００５９】
これにより、操作ピン２２が結合された支持アーム３４が軸５０を中心にＥ方向に回動すると共に、カムギヤ３２の円筒状の軸受部３２ｂがスライド部材３８の段部３８ｅに当接してスライド部材３８及び係止部材２４が掛止解除方向（Ｄ方向）に移動する。
【００６０】
スライド部材３８と一体に設けられた係止部材２４は、カバー１４の被係止部４２から離間してカバー１４の係止を解除する。そのため、カバー１４は、前述したカバー開機構５４のトーションバネ５６のバネ力により開蓋動作してトレイ１１のディスク装着部１２を開放する。
【００６１】
また、操作ピン２２の手動操作を止めると、スライド部材３８がコイルバネ４６のばね力によりカバー係止位置（Ｃ方向）に復帰すると共に、操作ピン２２がコイルバネ３６のばね力によりガイド孔１１ｂ（図５参照）に沿って手動操作前の位置（Ｆ方向）へ回動する。
【００６２】
カムギヤ３２は、移動方向がギヤ歯の突出方向と略同方向であるので、ウォーム３０に対する離間または再噛合の動作がスムーズであり、ギヤ歯の破損が防止されている。
【００６３】
イジェクト機構２１の電動イジェクト動作中、例えば、図１５に示す係止解除動作状態のときに、電源が落とされて電動イジェクト動作が途中で停止した場合、係止部材２４が係止解除位置で停止しているので、カバー１４を閉位置で係止できなくなる。そのような場合、操作ピン２２をＥ方向に回動操作することにより、係止部材２４を係止位置へ復帰させることができる。
【００６４】
また、電動イジェクト動作中に図１５に示す動作状態で停止した場合には、手動操作で操作ピン２２をＥ方向に回動させる。これにより、支持アーム３４及びカムギヤ３２がＥ方向に回動し、カムギヤ３２がウォーム３０から離間して（歯と歯の噛み合いが外れて）回動フリー状態になる。
【００６５】
これにより、スライド部材３８がコイルバネ４６のばね力によりカムギヤ３２のカム部３２ｃを押圧しつつＣ方向に移動して係止位置へ至る。このとき、カムギヤ３２は、カム部３２ｃをスライド部材３８に押圧されることによりＥ方向に回動する。
【００６６】
この後、操作ピン２２に対する操作を解除すると、支持アーム３４はこれにより、６のばね力によりＦ方向に回動し、カムギヤ３２がウォーム３０に噛合して図６に示す初期状態に復帰する。
【００６７】
ここで、ＣＤ−Ｒ／ＲＷ装置１０に搭載された制御回路について説明する。
図１８はＣＤ−Ｒ／ＲＷ装置１０に搭載された制御回路及び各機器との概略構成を示すブロック図である。
【００６８】
図１８に示されるように、ＣＤ−Ｒ／ＲＷ装置１０の制御回路９２は、上記位置検出スイッチ３９、閉蓋検出スイッチ４９、光ピックアップ１８、イジェクトモータ２８、ターンテーブル１６を駆動するターンテーブル駆動モータ９４と接続されている。また、制御回路９２は、ケーブル９５を介して外部のパーソナルコンピュータ９６と接続されている。
【００６９】
パーソナルコンピュータ９６は、ＣＤ−Ｒ／ＲＷ装置１０の制御回路９２に対ししてキーボードあるいはマウスの操作により各種制御信号（記録信号、再生信号、カバー開信号など）を出力する。ＣＤ−Ｒ／ＲＷ装置１０の制御回路９２は、パーソナルコンピュータ９６から入力された制御信号に応じて光ピックアップ１８、ターンテーブル駆動モータ９４を駆動して情報の記録または再生を行い、カバー開信号の入力によりターンテーブル駆動モータ９４を停止させると共に、イジェクトモータ２８を回転駆動してカバー１４を開蓋動作させる。
【００７０】
図１９は制御回路９２が実行する制御処理のフローチャートである。
図１９に示されるように、制御回路９２は、ステップＳ１１（以下「ステップ」を省略する）でパーソナルコンピュータ９６からカバー開信号が入力されると、Ｓ１２に進み、光ピックアップ１８による情報の書き込み（記録モード）が終了しているかどうかをチェックする。
【００７１】
Ｓ１２において、光ピックアップ１８による情報の書き込みが終了しているときは、Ｓ１３に進み、イジェクトモータ２８を回転駆動させる。これにより、イジェクトモータ２８の回転駆動力は、ウォーム３０を介してカムギヤ３２に伝達される。また、Ｓ１２において、光ピックアップ１８による情報の書き込みが行われているときは、今回の処理を終了する。
【００７２】
カムギヤ３２は、反時計方向へ回動することによりカム部３２ｃがスライド部材３８のカム当接部３８ｄに当接して、スライド部材３８をＤ方向へ移動させ、カバー１４の係止を解除する（図１５参照）。そのため、カバー１４は、前述したカバー開機構５４のトーションバネ５６のバネ力により開蓋動作してトレイ１１のディスク装着部１２を開放してディスク交換が可能になる。
【００７３】
次のＳ１４では、位置検出スイッチ３９がオンに切り替わったことを確認する。Ｓ１４において、スライド部材３８が係止解除位置に至ることにより、当接部３８ｆが位置検出スイッチ３９の可動切片３９ａに当接し、位置検出スイッチ３９がオンに切り替わると、Ｓ１５に進み、位置検出スイッチ３９の可動切片３９ａがオフに切り替わったかどうかをチェックする。
【００７４】
カバー１４の係止を解除した後、さらにカムギヤ３２が回動すると、カム部３２ｃがスライド部材３８のカム当接部３８ｄから離間する。そのため、スライド部材３８は、コイルバネ４６のばね力によりＣ方向に移動して当接部３８ｆが位置検出スイッチ３９の可動切片３９ａから離間して、位置検出スイッチ３９をオフに切り替える（図１６参照）。
【００７５】
Ｓ１５において、位置検出スイッチ３９の可動切片３９ａがオフに切り替わると、Ｓ１６に進み、イジェクトモータ２８への通電を止めてイジェクトモータ２８による回転駆動を停止させる。
【００７６】
続いて、Ｓ１７に進み、閉蓋検出スイッチ４９がオンになったかどうかをチェックする。カバー１４がカバー開機構５４のトーションバネ５６のバネ力により開蓋動作すると、検出ピン４４が閉蓋検出スイッチ４９から離間して閉蓋検出スイッチ４９がオフに切り替わる。
【００７７】
従って、Ｓ１７において、閉蓋検出スイッチ４９がオフになると、カバー１４が開動作したものと判断して今回の処理を終了する。また、Ｓ１７において、閉蓋検出スイッチ４９がオンのままであるときは、カバー１４が開かないと判断してＳ２０に進み、アラームを発する。
【００７８】
これにより、操作者は、カバー１４が開かないことに気付き、原因を調べる。そして、電気系統の故障が原因のときは、操作ピン２２をガイド孔１１ｂ（図５参照）に沿ってＥ方向へ回動させてカバー１４を開く。
【００７９】
また、上記Ｓ１５において、位置検出スイッチ３９の可動切片３９ａがオフに切り替わらないときは、Ｓ１８に進み、所定時間ｔ１が経過したかどうかをチェックする。Ｓ１８において、所定時間ｔ１が経過しないときは、Ｓ１５に戻り、再度、位置検出スイッチ３９の可動切片３９ａがオフに切り替わったかどうかをチェックする。
【００８０】
また、上記Ｓ１８において、所定時間ｔ１が経過したときは、何らかの異常によりカバー１４が開かないものと判断し、Ｓ１９に進み、イジェクトモータ２８への通電を止めてイジェクトモータ２８による回転駆動を停止させる。
【００８１】
その後、Ｓ２０に進み、アラームを発する。これにより、操作者は、カバー１４が開かないことに気付き、原因を調べる。そして、電気系統の故障が原因のときは、操作ピン２２をガイド孔１１ｂ（図５参照）に沿ってＥ方向へ回動させてカバー１４を開く。
【００８２】
尚、停電時は、アラームが鳴らない。そのため、操作者は、電源が来ていないことを確認してから操作ピン２２をガイド孔１１ｂに沿ってＥ方向へ回動させてカバー１４を開く。
【００８３】
ここで、位置検出スイッチ３９、閉蓋検出スイッチ４９、イジェクトモータ２８のオン・オフのタイミングについて説明する。
図２０（Ａ）〜（Ｃ）は電動イジェクト動作が正常に行われたときのタイミングチャートである。
【００８４】
パーソナルコンピュータ９６からカバー開信号が入力されてカバー１４が正常に開いたときは、図２０（Ｃ）に示すように、イジェクトモータ２８がオン(図１９のＳ１３参照)になってカムギヤ３２が反時計方向に回動され、図２０（Ａ）に示すように、位置検出スイッチ３９がオン（図１９のＳ１４参照）になる。図２０（Ｂ）に示すように、カバー１４が開くと、閉蓋検出スイッチ４９がオフになる。
【００８５】
そして、スライド部材３８がコイルバネ４６のばね力により係止位置に復帰して位置検出スイッチ３９がオフ（図１９のＳ１５参照）になった後、イジェクトモータ２８をオフ（図１９のＳ１６参照）にする。
【００８６】
図２１（Ａ）〜（Ｃ）は電動イジェクト動作時にカバー１４が半開きで停止したときのタイミングチャートである。
例えば、パーソナルコンピュータ９６からカバー開信号が入力された後、カバー１４が開動作の途中で停止したときは、図２１（Ｃ）に示すように、イジェクトモータ２８がオン(図１９のＳ１３参照)になってカムギヤ３２が反時計方向に回動され、図２１（Ａ）に示すように、位置検出スイッチ３９がオン（図１９のＳ１４参照）になる。
【００８７】
ところが、カバー１４が僅かに開き、係止部材２４の爪部２４ａ先端と被係止部４２の爪部４２ａ先端が当接した状態で停止すると、係止部材２４と一体のスライド部材３８がＤ方向側の位置（図１５に示す位置）に保持されたカバー半開き状態のままとなる。
【００８８】
このような状態では、図２１（Ｂ）に示すように、スライ部材３８の当接部３８ｆが位置検出スイッチ３９に当接しているので、位置検出スイッチ３９がオンのまま保持されることになる。この場合、位置検出スイッチ３９が所定時間内にオフに切り替わらないことに応じてイジェクトモータ２８をオフにしてアラームを発する（図１９のＳ１５−Ｓ１８−Ｓ１９−Ｓ２０の処理）。
【００８９】
尚、カバー１４が半開きで停止する場合、開き量の大小によって閉蓋検出スイッチ４９がオフになる場合（図２１（Ｂ）の破線を参照）とオンのままの場合（図２１（Ｂ）の実線を参照）があるが、いずれの場合であっても位置検出スイッチ３９の信号からエラーを検出してアラームを発する。
【００９０】
図２２（Ａ）〜（Ｃ）は電動イジェクト動作時にカバー１４が閉じたままであるときのタイミングチャートである。
例えば、パーソナルコンピュータ９６からカバー開信号が入力された後、カバー１４が開動作しないときは、図２２（Ｃ）に示すように、イジェクトモータ２８がオン(図１９のＳ１３参照)になってカムギヤ３２が反時計方向に回動され、図２２（Ａ）に示すように、位置検出スイッチ３９が一旦オン（図１９のＳ１４参照）になった後、オフ（図１９のＳ１５参照）になる。
【００９１】
ところが、図２２（Ｂ）に示すように、カバー１４が閉じた状態で停止している場合、検出ピン４４が閉蓋検出スイッチ４９に当接しているので、閉蓋検出スイッチ４９がオンのまま保持されることになる。この場合、イジェクトモータ２８が駆動されているのにカバー１４が閉じているので、アラームを発する（図１９のＳ２０参照）。
【００９２】
尚、上記実施の形態では、ＣＤ−Ｒ／ＲＷ装置１０に用いられた構成を一例として挙げたが、これに限らず、例えばＣＤ−ＲＯＭ装置、ＤＶＤ―ＲＯＭ装置、ＤＶＤ―ＲＡＭ装置、ＤＶＤ―Ｒ／ＲＷ装置、あるいは光磁気ディスク装置などにも適用できるのは勿論である。
【発明の効果】
上述の如く、本発明によれば、従来のものよりも部品点数を削減して製造コストを安価に抑えると共に、省スペース化を図ることができる。
【図面の簡単な説明】
【図１】本発明になる記録媒体装着装置が適用されたＣＤ−Ｒ／ＲＷ装置の一実施例を示す斜視図である。
【図２】記録媒体装着装置のカバーを外した状態の平面図である。
【図３】イジェクト機構２１の取付位置を示すＣＤ−Ｒ／ＲＷ装置１０の平面図である。
【図４】カバー１４を閉蓋位置に係止した状態を示す縦断面図である。
【図５】ＣＤ−Ｒ／ＲＷ装置１０の底面図である。
【図６】イジェクト機構２１の構成を拡大して示す図であり、（Ａ）は平面図、（Ｂ）は正面図である。
【図７】取付ベース２６の構成を示す図であり、（Ａ）は正面図、（Ｂ）は底面図、（Ｃ）は右側面図である。
【図８】スライド部材３８の構成を示す図であり、（Ａ）は正面図、（Ｂ）は底面図、（Ｃ）は左側面図である。
【図９】支持アーム３４の構成を示す図であり、（Ａ）は正面図、（Ｂ）は底面図、（Ｃ）は左側面図である。
【図１０】カムギヤ３２の構成を示す図であり、（Ａ）は正面半断面図、（Ｂ）は底面図である。
【図１１】カバー開機構５４を拡大して示す斜視図である。
【図１２】カバー開機構５４を拡大して示す側断面図である。
【図１３】カバー１４の開動作の第１段階を示す側面図である。
【図１４】カバー１４の開動作の第２段階を示す側面図である。
【図１５】電動イジェクト動作によるカバー１４の係止解除動作を説明するための図であり、（Ａ）は平面図、（Ｂ）は正面図である。
【図１６】電動イジェクト動作によるカバー１４の係止解除後の動作を説明するための図であり、（Ａ）は平面図、（Ｂ）は正面図である。
【図１７】手動イジェクト動作によるカバー１４の係止解除動作を説明するための図であり、（Ａ）は平面図、（Ｂ）は正面図である。
【図１８】ＣＤ−Ｒ／ＲＷ装置１０に搭載された制御回路及び各機器との概略構成を示すブロック図である。
【図１９】制御回路９２が実行する制御処理のフローチャートである。
【図２０】電動イジェクト動作が正常に行われたときのタイミングチャートである。
【図２１】電動イジェクト動作時にカバー１４が半開きで停止したときのタイミングチャートである。
【図２２】電動イジェクト動作時にカバー１４が閉じたままであるときのタイミングチャートである。
【符号の説明】
１０  ＣＤ−Ｒ／ＲＷ装置
１１  トレイ
１２  ディスク装着部
１４  カバー
１６  ターンテーブル
１８  光ピックアップ
２１  イジェクト機構
２２  操作ピン
２４  係止部材
４２  被係止部
４４  検出ピン
４９  閉蓋検出スイッチ
２６  取付ベース
２８  イジェクトモータ
３０  ウォーム
３２  カムギヤ
３４  支持アーム
３６，４６  コイルバネ
３８  スライド部材
３９  位置検出スイッチ
５４  カバー開機構
５６  トーションバネ
９２  制御回路
９４  ターンテーブル駆動モータ
９６  パーソナルコンピュータ
【図１】
0004114373.tif 000002
【図２】
0004114373.tif 000003
【図３】
0004114373.tif 000004
【図４】
0004114373.tif 000005
【図５】
0004114373.tif 000006
【図６】
0004114373.tif 000007
【図７】
0004114373.tif 000008
【図８】
0004114373.tif 000009
【図９】
0004114373.tif 000010
【図１０】
0004114373.tif 000011
【図１１】
0004114373.tif 000012
【図１２】
0004114373.tif 000013
【図１３】
0004114373.tif 000014
【図１４】
0004114373.tif 000015
【図１５】
0004114373.tif 000016
【図１６】
0004114373.tif 000017
【図１７】
0004114373.tif 000018
【図１８】
0004114373.tif 000019
【図１９】
0004114373.tif 000020
【図２０】
0004114373.tif 000021
【図２１】
0004114373.tif 000022
【図２２】
0004114373.tif 000023